(57)【要約】【課題】橋梁用支承装置の小型化、コンパクト化を達成し、地震時の上部構造の回転変位に対応できる回転変位吸収機能を備えた橋梁用支承装置を提供することを目的とする。【解決手段】橋梁用支承装置において、上面に上部構造３に固定される部材との連結部を設け、下面に凹部８を形成し反力鋼板５と、前記凹部８に収容される貫通穴が形成された穴明きゴム層９を有し、厚みが前記凹部の深さより厚い回転支持板１４と、前記回転支持板を前記凹部に収容し、前記凹部を除く下面に弾性シール材１５を配置した前記反力鋼板を下部構造２に固定するアンカーボルト４と、を備え、前記凹部に収容された回転支持板の穴明きゴム層が上部構造の垂直荷重と回転変位を弾性変形して吸収することを特徴とする。【選択図】  図１
2010112086.tif 000002
【特許請求の範囲】
【請求項１】
上面に上部構造に固定される部材との連結部を設け、下面に凹部を形成し反力鋼板と、
前記凹部に収容される貫通穴が形成された穴明きゴム層を有し、厚みが前記凹部の深さより厚い回転支持板と、
前記回転支持板を前記凹部に収容し、前記凹部を除く下面に弾性シール材を配置した前記反力鋼板を下部構造に固定するアンカーボルトと、
を備え、
前記凹部に収容された回転支持板の穴明きゴム層が上部構造の垂直荷重と回転変位を弾性変形して吸収することを特徴とする橋梁用支承装置。
【請求項２】
前記回転支持板の穴明きゴム層の平面形状の大きさを前記凹部の平面形状の大きさより小さくし、前記穴明きゴム層の上下面に薄鋼板を一体化して設け、前記上薄鋼板を前記凹部の平面形状とほぼ同じ大きさとし、前記回転支持板を前記凹部内に位置決めして収容したことを特徴とする請求項１に記載の橋梁用支承装置。
【請求項３】
前記反力鋼板の上面にせん断キーを配置し、前記上部構造に固定される部材に段差付き凹部を形成し、前記せん断キーを前記段差付き凹部に挿入し、前記せん断キー上部外周に大径リングを螺着し、前記大径リングを前記段差付き凹部の段差部に係合したことを特徴とする請求項１または２に記載の橋梁用支承装置。
【請求項４】
前記反力鋼板の上面にセットボルト用雌ねじ穴を形成し、前記上部構造と前記反力鋼板とをセットボルトで固定することを特徴とする請求項１または２に記載の橋梁用支承装置。
【請求項５】
前記反力鋼板の上面と上部構造に固定されるスライド部材との間にすべり面を形成し、前記反力鋼板の上面に形成した溝又は凹部に前記スライド部材の上揚力及び橋軸直角方向のスライドを阻止する駒部材を前記アンカーボルトにより固定することを特徴とする請求項１または２に記載の橋梁用支承装置。
【発明の詳細な説明】
【技術分野】
【０００１】
本発明は、橋梁の上部構造である橋桁と下部構造である橋脚との間に設けられ支承装置に関し、とくに地震時の回転変位に対応する回転変位吸収機能を備えた橋梁用支承装置に関する。
【背景技術】
【０００２】
橋梁の上部構造である橋桁と下部構造である橋脚との間に、上部構造の荷重を支持しつつその伸縮を吸収する支承装置が設けられる。このような支承装置として、ゴム弾性層からなるゴム支承として上部構造の鉛直荷重を受け、そしてゴム支承の弾性変形により上部構造の水平方向変位を許容するものがある。
【特許文献１】特開２００２−３８４１８号公報
【発明の開示】
【発明が解決しようとする課題】
【０００３】
しかしながら、ゴム支承からなる支承装置は、ゴム支承の回転変位による歪み量が小さく地震時の上部構造の回転変位に対応する機能を十分に発揮させるのが困難であった。
【０００４】
また、このような支承装置には、ゴム弾性層が配置されるため支承装置の高さが高くなり、さらに、ゴム弾性層の水平方向の変位によるせん断弾性変形を制限するためのせん断拘束部材を配置する必要があり、支承装置の小型化、コンパクト化が困難であるという問題を有するものであった。
【０００５】
本発明は、上記従来の問題を解決するものであって、橋梁用支承装置の小型化、コンパクト化を達成し、地震時の上部構造の回転変位に対応できる回転変位吸収機能を備えた橋梁用支承装置を提供することを目的とする。
【課題を解決するための手段】
【０００６】
本発明の橋梁用支承装置は、前記課題を解決するために、上面に上部構造に固定される部材との連結部を設け、下面に凹部を形成し反力鋼板と、前記凹部に収容される貫通穴が形成された穴明きゴム層を有し、厚みが前記凹部の深さより厚い回転支持板と、前記回転支持板を前記凹部に収容し、前記凹部を除く下面に弾性シール材を配置した前記反力鋼板を下部構造に固定するアンカーボルトと、を備え、前記凹部に収容された回転支持板の穴明きゴム層が上部構造の垂直荷重と回転変位を弾性変形して吸収することを特徴とする。
【０００７】
また、本発明の橋梁用支承装置は、前記回転支持板の穴明きゴム層の平面形状の大きさを前記凹部の平面形状の大きさより小さくし、前記穴明きゴム層の上下部に薄鋼板を一体化して設け、前記上部の薄鋼板を前記凹部の平面形状とほぼ同じ大きさとし、前記回転支持板を前記凹部内に位置決めして収容したことを特徴とする。
【０００８】
また、本発明の橋梁用支承装置は、前記反力鋼板の上面にせん断キーを配置し、前記上部構造に固定される部材に段差付き凹部を形成し、前記せん断キーを前記段差付き凹部に挿入し、前記せん断キー上部外周に大径リングを螺着し、前記大径リングを前記段差付き凹部の段差部に係合したことを特徴とする。
【０００９】
また、本発明の橋梁用支承装置は、前記反力鋼板の上面にセットボルト用雌ねじ穴を形成し、前記上部構造と前記反力鋼板とをセットボルトで固定することを特徴とする。
【００１０】
また、本発明の橋梁用支承装置は、前記反力鋼板の上面と上部構造に固定されるスライド部材との間にすべり面を形成し、前記反力鋼板の上面に形成した溝又は凹部に前記スライド部材の上揚力及び橋軸直角方向のスライドを阻止する駒部材を前記アンカーボルトにより固定することを特徴とする。
【発明の効果】
【００１１】
上面に上部構造に固定される部材との連結部を設け、下面に凹部を形成し反力鋼板と、前記凹部に収容される貫通穴が形成された穴明きゴム層を有し、厚みが前記凹部の深さより厚い回転支持板と、前記回転支持板を前記凹部に収容し、前記凹部を除く下面に弾性シール材を配置した前記反力鋼板を下部構造に固定するアンカーボルトと、を備え、前記凹部に収容された回転支持板の穴明きゴム層が上部構造の垂直荷重と回転変位を弾性変形して吸収する構成により、地震時の上部構造の回転変位に対して貫通穴を形成し歪み変形量が増加した穴明きゴム層が弾性変形して吸収し、アンカーボルトが穴明きゴム層への水平力の負荷を軽減するせん断拘束部材としての機能を発揮するので、部品数も少なく、低コストで施工が容易な支承装置とすることができる。また、穴明きゴム層を反力鋼板の凹部に収容したので穴明きゴム層が外部環境に晒されることが無く支承装置の長寿命化を図ることができる。
また、前記回転支持板の穴明きゴム層の平面形状の大きさを前記凹部の平面形状の大きさより小さくし、前記穴明きゴム層の上下部に薄鋼板を一体化して設け、前記上部の薄鋼板を前記凹部の平面形状とほぼ同じ大きさとし、前記回転支持板を前記凹部内に位置決めして収容した構成により、穴明きゴム層の上部構造の回転変位による弾性変形が凹部の周壁に干渉されないので効率良く吸収できる。
反力鋼板の上面にせん断キーを配置し、上部構造に固定される部材に段差付き凹部を形成し、せん断キーを段差付き凹部に挿入し、せん断キー上部外周に大径リングを螺着し、大径リングを段差付き凹部の段差部に係合した構成により、上部構造の水平方向の変位を拘束するとともに、上部構造の上揚力にも対応することができる。
反力鋼板の上面にセットボルト用雌ねじ穴を形成し、上部構造と反力鋼板とをセットボルトで固定する構成により、セットボルトで上揚力に抵抗する固定支承とすることができる。
反力鋼板の上面と上部構造に固定されるスライド部材との間にすべり面を形成し、反力鋼板の上面に形成した溝又は凹部にスライド部材の上揚力及び橋軸直角方向のスライドを阻止する駒部材をアンカーボルトにより固定する構成により、部品点数を少なくし上揚力に対応した一方向可動支承とすることができる。
【発明を実施するための最良の形態】
【００１２】
本発明の実施の形態を図により説明する。図１は、本発明の第１実施形態の橋梁用支承装置を示す図であり、図２は第１実施形態の反力鋼板の側面図、図３（ａ）（ｂ）は第１実施形態の反力鋼板の平面図であり、図４は回転支持板１４の側面図であり、図５（ａ）（ｂ）（ｃ）は、各種の回転支持板１４の平面図である。
【００１３】
橋梁用支承装置１は、橋梁のコンクリート製橋脚等の下部構造２と鋼製橋桁等の上部構造３との間に設置される。
【００１４】
第１実施形態の橋梁用支承装置１は、下部構造２にアンカーボルト４で固定されるベースプレートを兼用する反力鋼板５を備えている。反力鋼板５は、上面に上部構造３に固定される部材との連結部としてのせん断キー６が設けられる。せん断キー６は、反力鋼板５と一体に形成しても、せん断キー６を反力鋼板５と別体に形成し、反力鋼板５の上面と螺着や溶接等の固定手段により固定しても良い。
【００１５】
せん断キー６の上端部外周に雄ねじを形成する。また、反力鋼板５の４隅には、アンカーボルト挿通穴７が形成される。反力鋼板５の下面には、下面が開口した凹部８が形成される。図３（ａ）では、凹部８の平面形状が円形のものが示し、図３（ｂ）では凹部の平面形状が矩形のものを示している。
【００１６】
反力鋼板５の凹部８には、回転支持板１４が収容される。回転支持板１４は、図４に示されるように、貫通穴１０を形成した穴明きゴム層９の上面と下面に上薄鋼板１１と下薄鋼板１２が加硫一体成形されている。穴明きゴム層９の材質としては高減衰性ゴムが望ましい。
【００１７】
回転支持板１４の上薄鋼板１１の平面形状は、反力鋼板５の凹部８の平面形状と相似形で、その大きさも凹部８の平面形状とほぼ同じ大きさとし、回転支持板１４を凹部８に位置決めして収容できる。図５（ａ）は、反力鋼板５の凹部８の平面形状が円形の場合、平面形状が円形の上薄鋼板１１に平面形状が円形の穴明きゴム層９が一体化された回転支持板１４を示す。図５（ｂ）は、反力鋼板５の凹部８の平面形状が矩形の場合、平面形状が矩形の上薄鋼板１１に平面形状が円形の穴明きゴム層９が一体化された回転支持板１４を示す。図５（ｃ）は、反力鋼板５の凹部８の平面形状が矩形の場合、平面形状が矩形の上薄鋼板１１に平面形状が矩形で複数の貫通穴１０を形成した穴明きゴム層９が一体化された回転支持板１４を示す。穴明きゴム層９に形成される貫通穴１０の数や貫通穴１０の内径は、後述する上部構造３の回転変位に対して穴明きゴム層９の弾性変形による吸収が効果的になるように決定される。
【００１８】
図５（ａ）（ｂ）（ｃ）に示されるように、回転支持板１４の穴明きゴム層９の平面形状の大きさは、上薄鋼板１１の平面形状の大きさより小さくされている。つまり、穴明きゴム層９の平面形状の大きさは、反力鋼板５の凹部８の平面形状の大きさより小さくなっている。これは、上部構造３の回転変位に対して穴明きゴム層９が弾性変形して吸収する際、反力鋼板５の内壁と穴明きゴム層９の外周が干渉しないためである。
【００１９】
回転支持板１４の穴明きゴム層９の下面に一体化して設置される下薄鋼板１２は、穴明きゴム層９の同じ大きさの平面形状とする。図４及び図５（ａ）（ｂ）（ｃ）に示される回転支持板１４の上下薄鋼板１１、１２には、穴明きゴム層に形成された貫通穴１０と連通していないが、ゴム層と上下薄鋼板１１、１２を加硫一体化した後貫通穴１０を形成する加工工程を用いる場合、上下薄鋼板１１，１２に穴明きゴム層９に形成した貫通穴１０と連通する貫通穴が形成される。
【００２０】
穴明きゴム層９の上下に上下薄鋼板１１、１２を一体化した回転支持板１４の厚みは、反力鋼板５に形成した凹部８の深さより厚くする。
【００２１】
回転支持板１４を凹部８に収容した反力鋼板５を下部構造２にアンカーボルト４で固定する際、反力鋼板５の凹部８を除く下面に弾性シール材１５を介在させる。弾性シール材１５の材質はゴム等の材料とする。下部構造２の表面の平滑度が十分でない場合、下部構造２の表面と弾性シール材１５を介在させた反力鋼板５の下面との間に薄鋼板からなるカバー鋼板１６を配置しても良い。下部構造２の表面の平滑度が十分な場合は、カバー鋼板１６は不要である。
【００２２】
回転支持板１４の厚みは、反力鋼板５がアンカーボルト４により下部構造２に固定された状態で、凹部８の深さにアンカーボルトの固定により圧縮された弾性シール材１５の厚みを加えたものとする。そうすることにより通常時回転支持板１４の穴明きゴム層８に圧縮負荷が付加されないため穴明きゴム層８の長寿命化を図ることができる。
【００２３】
第１実施形態の橋梁用支承装置１では、反力鋼板５の上面に上部構造３に固定される部材との連結部としてのせん断キー６が設けられる。せん断キー６は、上部部材１７に形成した小径部と大径部からなる段差付き空所１９の小径部に挿入される。せん断キー６の上部外周には雄ねじが形成されており、段差付き空所１９に挿入されたせん断キー６の上部外周に内周に雌ねじを形成した大径リング２０が螺着される。大径リング２０の外径は段差付き空所１９の小径部の内径より大きくする。せん断キーの上部外周に螺着された大径リング２０が段差付き空所の小径部と大径部の段部に係合する。上部部材１７は、上鋼板１８と溶接等の手段により一体化された上部構造３とセットボルト１３で固定される。
【００２４】
反力鋼板５の上面のせん断キー６が上部構造３に固定される上部部材１７に形成した段差付き空所１９に挿入され大径リング２０が螺着されることにより、上部構造３に固定される上部部材１７と下部構造２に固定される反力鋼板５とが、せん断キー６と段差付き空所１９の小径部との係合により上部構造３の水平方向変位が拘束され、せん断キー６の上部外周に螺着された大径リング２０と段差付き空所１９の段部との係合により上部構造の上揚力が拘束される。
【００２５】
第１実施形態の橋梁用支承装置の作用について説明する。地震時の上部構造３の水平方向の変位に対しては、せん断キー６を介して反力鋼板５に伝達される。反力鋼板５を下部構造２に固定しているアンカーボルト４が上部構造３の水平方向の変位に抵抗して対応する。地震時の垂直方向の下向きの変位に対しては、反力鋼板５の凹部８に収容された回転支持板１４の穴明きゴム層９が圧縮され弾性変形して吸収する。地震時の上揚力に対しては、反力鋼板５の上面に配置したせん断キー６の上部に螺着された大径リング２０と上部部材１７の段差付き空所１９の段部との係合により抵抗する。地震時の上部構造３の回転変位に対しては、貫通穴の形成により弾性変形が容易になった反力鋼板５の凹部８に収容された回転支持板１４の穴明きゴム層９が弾性変形して吸収する。その際、反力鋼板５の下面に配置した弾性シール材１５が穴明きゴム層９の弾性変形を許容する。また、穴明きゴム層の平面形状の大きさが反力鋼板５の凹部の平面形状よりも小さくされているので、穴明きゴム層９が上部構造の回転変位による弾性変形する際に凹部の周壁に干渉されないので効率良く吸収できる。
【００２６】
図６は、本発明の第２実施形態の橋梁用支承装置を示す図であり、図７は第２実施形態の反力鋼板の側面図、図８（ａ）（ｂ）は第２実施形態の反力鋼板の平面図である。
【００２７】
第２実施形態の橋梁用支承装置は、反力鋼板５の上面と上部構造３との連結構造が第１実施形態の橋梁用支承装置と相違し、反力鋼板５と下部構造２との連結構造は第１実施形態の橋梁用支承装置と同じであるので説明を省略する。
【００２８】
第２実施形態の反力鋼板５は、図７、図８（ａ）（ｂ）に示されるように、上面にアンカーボルト挿通穴７と、上部構造３との連結手段であるセットボルト用雌ねじ穴２２が形成される。上部構造３、上部構造に溶接等の手段により一体化された上鋼板１８、上部部材１７を複数のセットボルト１３が貫通し、セットボルト１３の下部の雄ねじ部が反力鋼板５の上面に形成したセットボルト用雌ねじ穴２２に螺着され、上部構造３が反力鋼板５に固定される。
【００２９】
第２実施形態の橋梁用支承装置１の作用について説明する。上部構造の水平方向の変位はセットボルト１３を介して反力鋼板５に伝達され、反力鋼板５を下部構造２に固定しているアンカーボルト４により抵抗する。地震時の垂直方向の下向きの変位に対しては、反力鋼板５の凹部８に収容された回転支持板１４の穴明きゴム層９が圧縮され弾性変形して吸収する。地震時の上揚力に対しては、反力鋼板５と上部構造３を固定するセットボルト１３により抵抗する。地震時の上部構造３の回転変位に対しては、貫通穴の形成により歪み変形が容易になった反力鋼板５の凹部８に収容された回転支持板１４の穴明きゴム層９が弾性変形して吸収する。その際、反力鋼板５の下面に配置した弾性シール材１５が穴明きゴム層９の弾性変形を許容する。また、穴明きゴム層の平面形状の大きさが反力鋼板５の凹部の平面形状よりも小さくされているので、穴明きゴム層の上部構造の回転変位による弾性変形が凹部の周壁に干渉されないので効率良く吸収できる。
【００３０】
図９は、本発明の第３実施形態の橋梁用支承装置１を示す図であり、図１０は第３実施形態の反力鋼板の側面図、図１１（ａ）（ｂ）は第３実施形態の反力鋼板の平面図であり、図１２（ａ）（ｂ）は、駒部材２５の側面図と平面図である。
【００３１】
第３実施形態の橋梁用支承装置１は、反力鋼板５の上面と上部構造３との連結構造が第１実施形態及び第２実施形態の橋梁用支承装置１と相違し、反力鋼板５と下部構造２との連結構造は第１実施形態及び第２実施形態の橋梁用支承装置１と同じであるので説明を省略する。
【００３２】
第３実施形態の反力鋼板５は、図１０、図１１（ａ）に示されるように、上面に橋軸方向に延びる２列の溝３０が形成される。溝３０の底面にアンカーボルト挿通穴７が形成される。また、図１１（ｂ）に示される実施形態では、反力鋼板５の上面に矩形の凹部３１を形成し、矩形の凹部３１の底面にアンカーボルト挿通穴７を形成する。
【００３３】
スライド部材２４にはせん断キー２６が形成され、せん断キー２６が上部構造３に溶接等の手段により一体化された上鋼板１８に形成した係合凹部２１と係合し、水平方向の移動が拘束され、さらに、セットボルト１３により上鋼板１８が一体化された上部構造３に固定される。スライド部材２４の橋軸直角方向の幅は、反力鋼板５の上面に形成された２列の溝３０の内側端間の距離とほぼ同じにする。また、スライド部材２４の橋軸直角方向の両端部は上鋼板１８の外側に伸びるようにする。
【００３４】
スライド部材２４の下面と反力鋼板５の上面がスライド面を構成する。反力鋼板５の上面に形成した溝３０又は矩形の凹部３１に駒部材２５が配置される。駒部材２５は、溝３０又は矩形の凹部３１の橋軸直角方向の幅とほぼ同じ幅の断面矩形の脚部２８と、溝３０又は矩形の凹部３１の底面に形成したアンカーボルト挿通穴７と連通するアンカーボルト挿通穴２７と、脚部２８の上部から片持ち梁状に伸びる押さえ部２９を備えている。駒部材２５の断面矩形の脚部２８を反力鋼板５に形成した溝３０又は矩形の凹部３１に形成したアンカーボルト挿通穴７と駒部材２５のアンカーボルト挿通穴２７が連通する位置に配置し、アンカーボルト４で駒部材２５と反力鋼板５を下部構造２に固定する。
【００３５】
反力鋼板５の溝３０又は矩形の凹部３１に固定された駒部材２５は、その脚部２８でスライド部材２４の橋軸直角方向の側端と係合して、スライド部材２４の橋軸直角方向の移動を拘束する。また、駒部材２５の押さえ部２９が、スライド部材２４の橋軸直角方向の端部表面と係合し、スライド部材２４の上揚力に抵抗する。溝３０又は矩形の凹部３１の深さは駒部材２５の脚部２８がスライド部材２４の橋軸直角方向の変位に抵抗できる深さとする。
【００３６】
第３実施形態の橋梁用支承装置１の作用について説明する。上部構造３の橋軸直角方向の変位に対しては、駒部材２４の脚部２５を介して反力鋼板５に伝達され、反力鋼板５を下部構造２に固定しているアンカーボルト４が抵抗して対応する。上部構造２の橋軸方向の変位に対しては、スライド部材２４の下面と反力鋼板５の上面との間に形成されたスライド面に沿ってスライドして対応する。必要に応じて、スライド部材２４の橋軸方向のスライドを制限するために、スライド部材２４の橋軸方向の両側にストッパー（図示せず）を設けても良い。下部構造２地震時の垂直方向の下向きの変位に対しては、反力鋼板５の凹部８に収容された回転支持板１４の穴明きゴム層９が圧縮され弾性変形して吸収する。地震時の上揚力に対しては、反力鋼板５の上面に形成された溝３０又は矩形の凹部３１にアンカーボルト４で固定された駒部材２５の押さえ部２９が、スライド部材２４の橋軸直角方向の端部表面と係合し、上部構造３に固定されたスライド部材２４の上揚力に抵抗する。地震時の上部構造３の回転変位に対しては、貫通穴１０の形成により歪み変形が容易になった反力鋼板５の凹部８に収容された回転支持板１４の穴明きゴム層９が弾性変形して吸収する。その際、反力鋼板５の下面に配置した弾性シール材１５が穴明きゴム層９の弾性変形を許容する。また、穴明きゴム層の平面形状の大きさが反力鋼板５の凹部の平面形状よりも小さくされているので、穴明きゴム層の上部構造の回転変位による弾性変形が凹部の周壁に干渉されないので効率良く吸収できる。
【図面の簡単な説明】
【００３７】
【図１】本発明の実施形態を示す図である。
【図２】本発明の実施形態を示す図である。
【図３】（ａ）（ｂ）本発明の実施形態を示す図である。
【図４】本発明の実施形態を示す図である。
【図５】（ａ）（ｂ）（ｃ）本発明の実施形態を示す図である。
【図６】本発明の実施形態を示す図である。
【図７】本発明の実施形態を示す図である。
【図８】（ａ）（ｂ）本発明の実施形態を示す図である。
【図９】本発明の実施形態を示す図である。
【図１０】本発明の実施形態を示す図である。
【図１１】（ａ）（ｂ）本発明の実施形態を示す図である。
【図１２】本発明の実施形態を示す図である。
【符号の説明】
【００３８】
１：橋梁用支承装置、２：下部構造、３：上部構造、４：アンカーボルト、５：反力鋼板、６：せん断キー、７： アンカーボルト挿通穴、８：凹部、９：穴明きゴム層、１０：貫通穴、１１：上薄鋼板、１２：下薄鋼板、１３：セットボルト、１４：回転支持板、１５：弾性シール材、１６：カバー鋼板、１７：上部部材  １８：上鋼板、１９：段差付空所、２０：大径リング、２１：係合凹部、２２：セットボルト用雌ねじ穴、２４：スライド部材、２５：駒部材、２６：せん断キー、２７：アンカーボルト挿通穴、２８：脚部、２９：押さえ部、３０：溝、３１：断面矩形の凹部
【図１】
2010112086.tif 000003
【図２】
2010112086.tif 000004
【図３】
2010112086.tif 000005
【図４】
2010112086.tif 000006
【図５】
2010112086.tif 000007
【図６】
2010112086.tif 000008
【図７】
2010112086.tif 000009
【図８】
2010112086.tif 000010
【図９】
2010112086.tif 000011
【図１０】
2010112086.tif 000012
【図１１】
2010112086.tif 000013
【図１２】
2010112086.tif 000014
【手続補正書】
【提出日】平成20年12月26日(2008.12.26)
【手続補正１】
【補正対象書類名】特許請求の範囲
【補正対象項目名】全文
【補正方法】変更
【補正の内容】
【特許請求の範囲】
【請求項１】
上面に上部構造に固定される部材との連結部を設け、下面に凹部を形成した反力鋼板と、
前記凹部に収容される貫通穴が形成された穴明きゴム層を有し、厚みが前記凹部の深さより厚い回転支持板と、
前記回転支持板を前記凹部に収容し、前記凹部を除く下面に弾性シール材を配置した前記反力鋼板を下部構造に固定するアンカーボルトと、
を備え、
前記凹部に収容された回転支持板の穴明きゴム層が上部構造の垂直荷重と回転変位を弾性変形して吸収することを特徴とする橋梁用支承装置。
【請求項２】
前記回転支持板の穴明きゴム層の平面形状の外周の大きさを前記凹部の平面形状の内周の大きさより小さくし、前記穴明きゴム層の上下面に薄鋼板を一体化して設け、前記上薄鋼板の平面形状の外周の大きさを前記凹部の平面形状の内周の大きさとほぼ同じ大きさとし、前記回転支持板を前記凹部内に位置決めして収容したことを特徴とする請求項１に記載の橋梁用支承装置。
【請求項３】
前記反力鋼板の上面にせん断キーを配置し、前記上部構造に固定される部材に段差付き凹部を形成し、前記せん断キーを前記段差付き凹部に挿入し、前記せん断キー上部外周に大径リングを螺着し、前記大径リングを前記段差付き凹部の段差部に係合したことを特徴とする請求項１または２に記載の橋梁用支承装置。
【請求項４】
前記反力鋼板の上面にセットボルト用雌ねじ穴を形成し、前記上部構造と前記反力鋼板とをセットボルトで固定することを特徴とする請求項１または２に記載の橋梁用支承装置。
【請求項５】
前記反力鋼板の上面と上部構造に固定されるスライド部材との間にすべり面を形成し、前記反力鋼板の上面に形成した溝又は凹部に前記スライド部材の上揚力及び橋軸直角方向のスライドを阻止する駒部材を前記アンカーボルトにより固定することを特徴とする請求項１または２に記載の橋梁用支承装置。
置。
【手続補正２】
【補正対象書類名】明細書
【補正対象項目名】０００６
【補正方法】変更
【補正の内容】
【０００６】
本発明の橋梁用支承装置は、前記課題を解決するために、上面に上部構造に固定される部材との連結部を設け、下面に凹部を形成した反力鋼板と、前記凹部に収容される貫通穴が形成された穴明きゴム層を有し、厚みが前記凹部の深さより厚い回転支持板と、前記回転支持板を前記凹部に収容し、前記凹部を除く下面に弾性シール材を配置した前記反力鋼板を下部構造に固定するアンカーボルトと、を備え、前記凹部に収容された回転支持板の穴明きゴム層が上部構造の垂直荷重と回転変位を弾性変形して吸収することを特徴とする
。
【手続補正３】
【補正対象書類名】明細書
【補正対象項目名】０００７
【補正方法】変更
【補正の内容】
【０００７】
また、本発明の橋梁用支承装置は、前記回転支持板の穴明きゴム層の平面形状の外周の大きさを前記凹部の平面形状の内周の大きさより小さくし、前記穴明きゴム層の上下面に薄鋼板を一体化して設け、前記上薄鋼板の外周の大きさを前記凹部の平面形状の内周の大きさとほぼ同じ大きさとし、前記回転支持板を前記凹部内に位置決めして収容したことを特徴とする。
以上